(57)【要約】【課題】意匠的外観が良く、そのうえ、化粧カバーの着脱が容易な浴室カウンターにおける化粧カバーの取付け構造を提供する。【解決手段】カウンター天板４１には、その外側縁部近傍の裏側に、入り口周囲に下方に向って拡径するテーパ状の案内面１１ｂが形成されたボルト穴１１ｃを有する化粧ボルト支持部としてのサポートピース１１，・・・が設けられており、化粧カバー４２には、その外側縁部近傍に、カウンター天板４１の外側縁部近傍と略平行なサポートピース１１，・・・のボルト穴１１ｃ，・・・の下方の対応する位置にボルト孔４２ａ，・・・を有する化粧ボルト係止部４２Ａが形成されており、化粧ボルト４３，・・・が、化粧ボルト係止部４２Ａのボルト孔４２ａ，・・・からサポートピース１１，・・・のボルト穴１１ｃ，・・・へそれぞれ螺合されて、化粧カバー４２が、カウンター天板４１の下方側面に着脱自在に取付けられた構成とされている。【選択図】図３
2010000169.tif 000002
【特許請求の範囲】
【請求項１】
カウンター天板の下方側面に化粧カバーを着脱自在に取付けて成る浴室カウンターにおける化粧カバーの取付け構造であって、
前記カウンター天板には、その外側縁部近傍の裏側に、入り口周囲に下方に向って拡径するテーパ状の案内面が形成されたボルト穴を有する化粧ボルト支持部が設けられており、
前記化粧カバーには、その外側縁部近傍に、前記カウンター天板の外側縁部近傍と略平行な前記化粧ボルト支持部の前記ボルト穴の下方の対応する位置にボルト孔を有する化粧ボルト係止部が形成されており、
化粧ボルトが、前記化粧ボルト係止部のボルト孔から前記化粧ボルト支持部のボルト穴へ螺合されて、前記化粧カバーが、前記カウンター天板の下方側面に着脱自在に取付けられていることを特徴とする浴室カウンターにおける化粧カバーの取付け構造。
【請求項２】
前記カウンター天板に、その外側縁部又は外側縁部近傍から下方に外壁部が設けられており、前記化粧カバーに、その外側縁部又は外側縁部近傍から立ち上がる立ち上がり外壁部が設けられ、さらに該立ち上がり外壁部から内側へ突出する突出部が設けられており、前記外壁部の下端と前記立ち上がり外壁部の上端とが当接するとともに、前記突出部の先端が、前記化粧ボルト支持部の側面に当接して、前記化粧カバーの上端部が位置決めされていることを特徴とする請求項１に記載の浴室カウンターにおける化粧カバーの取付け構造。
【請求項３】
請求項１又は２に記載の浴室カウンターにおける化粧カバーの取付け構造を備えていることを特徴とする浴室カウンター。
【請求項４】
請求項３に記載の浴室カウンターを備えていることを特徴とする浴室ユニット。
【発明の詳細な説明】
【技術分野】
【０００１】
本発明は、カウンター天板の下方側面に化粧カバーを着脱自在に取付けて成る浴室カウンターにおける化粧カバーの取付け構造及び同取付け構造を備えた浴室カウンター並びに同浴室カウンターを備えた浴室ユニットに関するものである。
【背景技術】
【０００２】
従来から、浴室内に、洗体、洗髪などを行うことが容易なように、シャンプーやリンスなどの浴用品を置くための浴室カウンターが設置されることがなされている。
【０００３】
この浴室カウンターは、通常、カウンター天板と、その下方側面に化粧カバーを取り付けた構成とされている（特許文献１等を参照）。
【０００４】
このような従来の浴室カウンターでは、特に意匠的外観を良くするために、例えば、カウンター天板と化粧カバーとの間の継ぎ目をしっかりと塞ぐ構造とされていた。
【特許文献１】特開２０００−３２５２５２号公報
【発明の開示】
【発明が解決しようとする課題】
【０００５】
しかしながら、上記した従来の浴室カウンターでは、カウンター天板と化粧カバーとの間の継ぎ目などがしっかりと塞がれ、意匠的外観は良いが、化粧カバーの着脱が容易ではなかった。
【０００６】
すなわち、化粧カバーを着脱して、この浴室カウンターの内部を掃除したいという需要者の要求に沿ったものではなかった。
【０００７】
そこで、本発明は、意匠的外観が良く、そのうえ、化粧カバーの着脱が容易な浴室カウンターにおける化粧カバーの取付け構造及び同取付け構造を備えた浴室カウンター並びに同浴室カウンターを備えた浴室ユニットを提供することを目的としている。
【課題を解決するための手段】
【０００８】
前記目的を達成するために、本発明の化粧カバーの取付け構造は、カウンター天板の下方側面に化粧カバーを着脱自在に取付けて成る浴室カウンターにおける化粧カバーの取付け構造であって、前記カウンター天板には、その外側縁部近傍の裏側に、入り口周囲に下方に向って拡径するテーパ状の案内面が形成されたボルト穴を有する化粧ボルト支持部が設けられており、前記化粧カバーには、その外側縁部近傍に、前記カウンター天板の外側縁部近傍と略平行な前記化粧ボルト支持部の前記ボルト穴の下方の対応する位置にボルト孔を有する化粧ボルト係止部が形成されており、化粧ボルトが、前記化粧ボルト係止部のボルト孔から前記化粧ボルト支持部のボルト穴へ螺合されて、前記化粧カバーが、前記カウンター天板の下方側面に着脱自在に取付けられていることを特徴とする。
【０００９】
ここで、前記カウンター天板に、その外側縁部又は外側縁部近傍から下方に外壁部が設けられており、前記化粧カバーに、その外側縁部又は外側縁部近傍から立ち上がる立ち上がり外壁部が設けられ、さらに該立ち上がり外壁部から内側へ突出する突出部が設けられており、前記外壁部の下端と前記立ち上がり外壁部の上端とが当接するとともに、前記突出部の先端が、前記化粧ボルト支持部の側面に当接して、前記化粧カバーの上端部が位置決めされているとよい。
【００１０】
本発明の浴室カウンターは、上記した浴室カウンターにおける化粧カバーの取付け構造を備えていることを特徴とする。
【００１１】
本発明の浴室ユニットは、上記した浴室カウンターを備えていることを特徴とする。
【発明の効果】
【００１２】
このような本発明の浴室カウンターにおける化粧カバーの取付け構造は、カウンター天板には、その外側縁部近傍の裏側に、入り口周囲に下方に向って拡径するテーパ状の案内面が形成されたボルト穴を有する化粧ボルト支持部が設けられている。
【００１３】
また、化粧カバーには、その外側縁部近傍に、カウンター天板の外側縁部近傍と略平行な化粧ボルト支持部のボルト穴の下方の対応する位置にボルト孔を有する化粧ボルト係止部が形成されている。
【００１４】
そして、化粧ボルトが、化粧ボルト係止部のボルト孔から化粧ボルト支持部のボルト穴へ螺合されて、化粧カバーが、カウンター天板の下方側面に着脱自在に取付けられた構成とされている。
【００１５】
こうした構成なので、化粧カバーを取り外す際は、化粧カバーの外側の化粧ボルトの頭部を手で持って緩めて化粧ボルトを外し、化粧カバーを容易に取り外すことができる。
【００１６】
また、化粧カバーを取り付ける際には、化粧ボルトを、その頭部を手で持って、化粧カバーの化粧ボルト係止部のボルト孔から挿入すれば、化粧ボルトのボルト部が多少傾いていても、テーパ状の案内面に案内されて、カウンター天板の裏側の化粧ボルト支持部のボルト穴へ容易にねじ込むことができ、化粧カバーを容易に取り付けることができる。
【００１７】
要するに、化粧カバーの外側に露出するのは、化粧ボルトの頭部だけなので、意匠的外観は良く、そのうえ、化粧カバーの着脱が容易であるため、浴室カウンターの内部を掃除したいという需要者の要求に応えることができる。
【００１８】
ここで、カウンター天板に、その外側縁部又は外側縁部近傍から下方に外壁部が設けられており、化粧カバーに、その外側縁部又は外側縁部近傍から立ち上がる立ち上がり外壁部が設けられ、さらに立ち上がり外壁部から内側へ突出する突出部が設けられており、外壁部の下端と立ち上がり外壁部の上端とが当接するとともに、突出部の先端が、化粧ボルト支持部の側面に当接して、化粧カバーの上端部が位置決めされている場合は、カウンター天板と化粧カバーとの間の継ぎ目が規定した位置でしっかりと塞がれ、より意匠的外観が良い。
【００１９】
こうした本発明の浴室カウンターは、上記した浴室カウンターにおける化粧カバーの取付け構造を備えた構成とされているので、上記した浴室カウンターにおける化粧カバーの取付け構造の効果を奏する浴室カウンターを実現することができる。
【００２０】
こうした本発明の浴室ユニットは、上記した浴室カウンターを備えた構成とされているので、上記した浴室カウンターの効果を奏する浴室ユニットを実現することができる。
【発明を実施するための最良の形態】
【００２１】
以下、本発明の最良の実施の形態について図面に基づいて説明する。
【００２２】
図１は、本実施の形態の浴室ユニット１の概略構成を示している。
【００２３】
まず、このような浴室ユニット１は、浴槽２と、浴室床３と、浴室カウンター４とから主に構成されている。
【００２４】
ここで、浴槽２は、水位調整センサー（図示せず）及び水温調整センサー（図示せず）が設けられており、給湯口２ａからお湯が給湯され、所望の水位・温度でお湯をはれる。
【００２５】
また、浴室床３は、網状の蓋５ａが設けられた排水口５に向って若干の傾斜が設けられている。
【００２６】
そして、浴室カウンター４は、浴槽２の横の浴室壁６に内側縁部を固定されたカウンター天板４１の下方側面に化粧カバー４２が、４本の化粧ボルト４３，・・・で取り付けられて成る。
【００２７】
ここで、カウンター天板４１は、合成樹脂製であり、その内側（浴室壁６側）には、外側（浴室壁６の反対側）に向って下るように傾斜した傾斜部４１ａが設けられており、カウンター天板４１上に水が溜まらないようにされている。
【００２８】
また、このカウンター天板４１の傾斜部４１ａには、図１及び図２に示したように、浴室カウンター４内にホース７ａを収納可能なシャワー７と、給水用のハンドル８ａと、給湯用のハンドル８ｂとが設けられている。
【００２９】
さらに、カウンター天板４１の外側縁部近傍の裏側には、図３に示したように、インサートナット１３がそれぞれ埋め込まれた４つの基部９，・・・が設けられている。
【００３０】
また、各基部９のインサートナット１３のボルト穴には、スプリングワッシャー１０を介して、化粧ボルト支持部としてのサポートピース１１が、その上端部に設けたボルト部１１ａが螺合され固定されている。
【００３１】
ここで、化粧ボルト支持部としてのサポートピース１１は、その下部に、入り口周囲に下方に向って拡径するテーパ状（すり鉢状）の案内面１１ｂが形成されたボルト穴１１ｃを有する。
【００３２】
また、サポートピース１１の略中間部には、拡径した円筒形の側面部１１ｄが形成されている。
【００３３】
さらに、カウンター天板４１の外側縁部から下方に略垂下する外壁部４１Ａがサポートピース１１の側面部１１ｄの下端部近傍の高さ位置まで形成されている。
【００３４】
また、化粧カバー４２は、合成樹脂製であり、その外側縁部近傍に、カウンター天板４１の外側縁部近傍と略平行なサポートピース１１，・・・のボルト穴１１ｃ，・・・の下方の対応する位置にボルト孔４２ａ，・・・を有する化粧ボルト係止部４２Ａが形成されている。
【００３５】
さらに、化粧カバー４２には、その外側縁部から略垂直に、カウンター天板４１の外壁部４１の下端の高さ位置まで立ち上がる立ち上がり外壁部４２Ｂが形成されている。
【００３６】
また、この立ち上がり外壁部の上端から内側へ突出する突出部４２Ｃが形成されている。
【００３７】
そして、化粧ボルト４３のボルト部４３ｂが、化粧カバー４２の化粧ボルト係止部４２Ａの各ボルト孔４２ａから各サポートピース１１のボルト穴１１ｃへそれぞれ螺合され、化粧ボルト４３，・・・の頭部４３ａ，・・・だけが外側に露出している。
【００３８】
なお、化粧ボルト４３を抜き易く、そのうえ、化粧カバー４２をガタツキなく取り付けられるように、化粧カバー４２の化粧ボルト係止部４２Ａの各ボルト孔４２ａの径は、化粧ボルト４３のボルト部４３ｂの径より約１ｍｍ大きく設定されている。
【００３９】
また、この化粧ボルト４３が螺合されることで、カウンター天板４１の外壁部４１Ａの下端と化粧カバー４２の立ち上がり外壁部４２Ｂの上端とが当接されている。
【００４０】
さらに、化粧カバー４２の突出部４２Ｃ，・・・は、サポートピース１１，・・・の側面部１１ｄ，・・・に当接され、化粧カバー４２の上端部が位置決めされている。
【００４１】
また、化粧カバー４２の内側縁部は、図４に示したように、下方に略垂下するように形成され、浴室壁６にネジ１２，・・・で固定された係止部材４４に形成された溝４４ａに嵌め込み固定されている。
【００４２】
なお、給水・給湯用の配管Ｐは、図２に示したように、浴室カウンター４内に収納されており、外側からは見えないようになっている。
【００４３】
次に、本実施の形態の作用効果について説明する。
【００４４】
このような本実施の形態の浴室カウンターにおける化粧カバーの取付け構造は、カウンター天板４１には、その外側縁部近傍の裏側に、入り口周囲に下方に向って拡径するテーパ状の案内面１１ｂが形成されたボルト穴１１ｃを有する化粧ボルト支持部としてのサポートピース１１，・・・が設けられている。
【００４５】
また、化粧カバー４２には、その外側縁部近傍に、カウンター天板４１の外側縁部近傍と略平行なサポートピース１１，・・・のボルト穴１１ｃ，・・・の下方の対応する位置にボルト孔４２ａ，・・・を有する化粧ボルト係止部４２Ａが形成されている。
【００４６】
そして、化粧ボルト４３，・・・が、化粧ボルト係止部４２Ａのボルト孔４２ａ，・・・からサポートピース１１，・・・のボルト穴１１ｃ，・・・へそれぞれ螺合されて、化粧カバー４２が、カウンター天板４１の下方側面に着脱自在に取付けられた構成とされている。
【００４７】
こうした構成なので、化粧カバー４２を取り外す際は、化粧カバー４２の外側の化粧ボルト４３の頭部４３ａを手で持って緩めて化粧ボルト４３，・・・を外し、化粧カバー４２を容易に取り外すことができる。
【００４８】
また、化粧カバー４２を取り付ける際には、化粧ボルト４３を、その頭部４３ａを手で持って、化粧カバー４２の化粧ボルト係止部４２Ａのボルト孔４２ａから挿入すれば、化粧ボルト４３のボルト部４３ｂが多少傾いていても、テーパ状の案内面１１ｂに案内されて、カウンター天板の裏側のサポートピース１１のボルト穴１１ｃへそれぞれ容易にねじ込むことができ、化粧カバー４２を容易に取り付けることができる。
【００４９】
要するに、化粧カバー４２の外側に露出するのは、化粧ボルト４３，・・・の頭部４３ａ，・・・だけなので、意匠的外観は良く、そのうえ、化粧カバー４２の着脱が容易であるため、浴室カウンター４の内部を掃除したいという需要者の要求に応えることができる。
【００５０】
ここで、カウンター天板４１に、その外側縁部から下方に外壁部４１Ａが設けられている。
【００５１】
また、化粧カバー４２に、その外側縁部から立ち上がる立ち上がり外壁部４２Ｂが設けられ、さらに立ち上がり外壁部４２Ｂから内側へ突出する突出部４２Ｃが設けられている。
【００５２】
そして、外壁部４１Ａの下端と立ち上がり外壁部４２Ｂの上端とが当接するとともに、突出部４２Ｃの先端が、サポートピース１１の側面部１１ｄに当接して、化粧カバー４２の上端部が位置決めされている。
【００５３】
このため、カウンター天板４１と化粧カバー４２との間の継ぎ目が規定した位置でしっかりと塞がれ、より意匠的外観が良い。
【００５４】
こうした本実施の形態の浴室カウンター４は、上記した浴室カウンターにおける化粧カバーの取付け構造を備えた構成とされているので、本実施の形態の浴室カウンターにおける化粧カバーの取付け構造の作用効果を奏する浴室カウンターを実現することができる。
【００５５】
こうした本実施の形態の浴室ユニット１は、上記した浴室カウンター４を備えた構成とされているので、本実施の形態の浴室カウンターの作用効果を奏する浴室ユニットを実現することができる。
【００５６】
以上、図面を参照して、本発明の最良の実施の形態を詳述してきたが、具体的な構成は、この実施の形態に限らず、本発明の要旨を逸脱しない程度の設計的変更は、本発明に含まれる。
【００５７】
例えば、前記実施の形態では、４本の化粧ボルト４３，・・・により、カウンター天板４１に化粧カバー４２を取り付けた構造としたが、これに限定されず、様々な本数の化粧ボルト４３で取り付けた構造としてもよい。
【００５８】
また、浴室カウンター４の形状・配置は、前記実施の形態のものに限定されず、様々な形態で実施できる。
【００５９】
さらに、浴室カウンター４を構成するカウンター天板４１と化粧カバー４２は、合成樹脂製として実施したが、これに限定されず、例えば、防錆加工を施した金属製などで実施してもよい。
【図面の簡単な説明】
【００６０】
【図１】本実施の形態の浴室ユニットの概略構成を示した斜視図である。
【図２】図１におけるＡ−Ａ線矢視断面図である。
【図３】図２のＢ部における拡大図である。
【図４】図２のＣ部における拡大図である。
【符号の説明】
【００６１】
１      浴室ユニット
４      浴室カウンター
４１    カウンター天板
４１Ａ  外壁部
４２    化粧カバー
４２ａ  ボルト孔
４２Ａ  化粧ボルト係止部
４２Ｂ  立ち上がり外壁部
４２Ｃ  突出部
４３    化粧ボルト
４３ａ  頭部
４３ｂ  ボルト部
１１    サポートピース（化粧ボルト支持部）
１１ｂ  テーパ状の案内面
１１ｃ  ボルト穴
１１ｄ  側面部
【図１】
2010000169.tif 000003
【図２】
2010000169.tif 000004
【図３】
2010000169.tif 000005
【図４】
2010000169.tif 000006